(57)【特許請求の範囲】
【請求項１】
外軸と、上記外軸上端に接続され、前端が少なくとも一部は開口する、樹脂成型された握り部と、外軸下端に接続され、貫通穴を下端に有する接地キャップと、外軸内に収容される内軸と、内軸上端に接続されて握り部内に収容される操作桿と、上記操作桿に連結され、ばねにより常に押圧されて自走を防止する、握り部前端部に露出するハンドルと、下端に爪を有する、内軸下端に接続される滑り止め部とを有せしめることにより、握り部に手をおいた状態でハンドルに指が届き、接地キャップの貫通孔からの爪の出入りを片手で簡単にできるようにしたことを特徴とする寒冷地用杖。
【請求項２】
ハンドルを握り部前端部にヒンジ結合し、ハンドルの上下方向の回転動により、爪の出入りを行うようにした請求項１記載の寒冷地用杖。
【請求項３】
外軸と内軸を同一箇所で切り詰めることにより、長さ調節するようにしたことを特徴とする請求項１、２記載の寒冷地用杖。
【発明の詳細な説明】
【０００１】
【発明の属する技術分野】
本発明は、寒冷地において老人、身障者等が使用するのに便利な、簡単な操作で滑り止め用爪が出入りできるようにした杖に関する。
【０００２】
【従来の技術】
寒冷地においては冬季間、凍結路面となり易く、危険防止のため、老人、身障者等が外出するときは、先端に滑り止めがついた杖を使用するのが一般的であるが、従来のものは、杖の先端に滑り止めを別体に取付け、雪道で使用しないときは杖の外側に鋭利な爪先端部が上向きになるよう折り返し、雪道で使用するときは下向きにして滑り止めとする型式のものが多く使用されていた。
【０００３】
しかし上記のものは、建物に出入りする度に杖を持ち直して、切り換えしなければならず、非常に面倒であった。また、雪がない状態で使用するときは、鋭利な爪部分が外に露出しているため、人混みの中や転倒した場合のことを考えると非常に危険であり、それを防止するためには、面倒ではあるが、滑り止め部を個人で取り外すか、できない場合は、滑り止めが付いていない普通の杖と２本用意して切換使用したり、あるいは、杖の販売店等で料金を払って滑り止めを付け外ししてもらわなければならないというのが現状であった。
【０００４】
上述した不便さを解消する目的で、例えば、実開平６−５５４１８号公報のものが提案されている。これは、先端に１本の細長い爪の付いた滑り止め部を杖の内部に収容し、杖の先でなく、手元の操作で滑り止め部を出入りさせようというものであり、滑り止め部を取り外しする必要が無くなり、切換操作も比較的容易になった点では評価できるが、パイプを加工するなどコストもかさみ、レバーも手元から離れているので、老人や身障者にとっては両手で操作しなければならないという点では操作性に難が残り、片手がふさがっているとき不便、あるいは、立ち止まって操作する必要がある、と言う問題があった。
【０００５】
また杖は、その人の身長等によって長さが千差万別であり、調整しなければならないが、引用例のものにあっては、調整が難しく、店頭で短時間内に長さ調節して販売するには不向きであった。
【０００６】
【発明が解決しようとする課題】
上記の点に鑑み、本発明においては、建物に出入りする際、いちいち立ち止まらなくとも、歩きながら自然な形で片手で滑り止め部を出入りさせることができ、しかも、ハンドルを操作しない限り、荷重、衝撃等で勝手に爪が出入り（自走）しないようにするとともに、さらに、販売する際、店頭でも簡単に長さ調節を可能にした寒冷地用杖を提供することを目的とする。
【０００７】
【課題を解決するための手段】
上記課題解決のため本発明の杖は、外軸と、上記外軸上端に接続される握り部と、外軸下端に接続され、貫通穴を下端に有する接地キャップと、外軸内に収容される内軸と、内軸上端に接続されて握り部内に収容され、握り部から少なくとも一部は露出するハンドルに連結される操作桿と、内軸下端に接続され、雪氷に刺さり込んで滑りにくい形状の爪を下端に形成する滑り止め部とを備え、上記ハンドル操作により接地キャップの貫通穴から上記爪が出入りするようにしている。
【０００８】
上記爪を複数個もうけ、貫通穴から比較的短く突出させることもできる。
【０００９】
販売する際、外軸と内軸を同一箇所で切り詰めることにより、店頭でも容易に長さ調節できるようにしている。
【００１０】
【発明の実施の形態】
以下、本発明の実施の形態を図面に基づいて詳細に説明する。図１およびその正面図を示す図２に本発明の寒冷地用杖の１実施例を示すが、１は外軸であり、上端に樹脂製の握り部２を、下端に中心部に小径の貫通穴３を設けた、耐摩耗性ゴムまたは軟質樹脂製の接地キャップ４を接続する。５は外軸１内に収容される内軸であり、上端に、握り部２内に収容される操作桿６を、下端に、上記貫通穴３を出入りする滑り止め部７を接続している。滑り止め部７は、下端が雪氷に刺さりやすいように鋭利に加工した細長い爪８をもうけているが、内軸５と別体に接続するのではなく、一体物にして先端部を加工するようにしても良い。
【００１１】
握り部２は前端に縦長長方形の切り欠き窓９を形成し、ハンドル１０を、支点となる軸ピン１１によりヒンジ結合している。ハンドル１０は一端にレバー部１２を形成し、他端に二股状の結合部１３を形成する。
【００１２】
操作桿６は、図３に示すように上方を上記結合部１３にはまり込むべく小径に形成し、上端部に小径横溝１４およびその下端部を深くした大径溝１５を側方に開口するように設ける。ハンドル１０の結合部１３の先端に挿入されたピン１６が上記小径横溝１４および大径溝１５に係止してハンドル１０と操作桿６は結合されることになる。大径溝１５は小径横溝１４よりも、ピン１６の半径以上深く形成している。
【００１３】
さらに操作桿６の小径横溝１４の下方にロールピン１７を両端を突出させて挿入し、上記ロールピン１７に、二股状の捻りばね１８を装着し、ハンドル１０に常に押圧力を与えるようにしている。なお、１９は外軸１が当接する軸受け座金である。
【００１４】
図１、２は滑り止め部７の爪８が接地キャップ４内に収容されている常態を示しており、操作桿６の上端が握り部２の内部上端部またはレバー部１２下端が握り部２の下側前端部に当接して停止しているが、非常態である冬道で使用するときは、ハンドル１０のレバー部１２に指をかけて上方に引き上げるようにしてやればよく、ハンドル１０は軸ピン１１を中心として回転し、ピン１６も下降して回転の前半では図の右側に、回転の後半では左側方向に移動しながら下降を続ける。それにともなって操作桿６も下降し、約１２０゜回転して、滑り止め部７の肩部２０またはレバー１２の上端が握り部２の上側前端部に当接して停止し、図４の状態となる。
【００１５】
さらに、爪８が接地することにより操作桿６に上昇力が生じ、ピン１６が大径溝１５下端に当接して停止する。この状態においては、爪８が貫通穴３から下方に長く突出しており、ピン１６が大径溝１５に入り込み、また、捻りばね１８がハンドル１０を上方に回転させようとする力として作用しているため、内軸５に作用する静的な上向きの力や衝撃力が大きくても、ピン１６は、その半径より深い大径溝１５を乗り越えて小径横溝１４に入り込むことはなく、従って、ハンドル１０を回転させない限り、爪８が接地キャップ４内に入り込む、いわゆる自走は起こらない。また、図１の状態にあっても、捻りばね１８はハンドル１０を下方に回転させようとする力として作用しているため、内軸５等の自重により、爪８が接地キャップ４から突出する、逆方向の自走も生じない。
【００１６】
図４の状態からレバー部１２を指で押圧してやると、約１２０゜回転して図１の状態に復帰する。すなわち、杖を握ったまま自然な形で片手、指１本で爪８の出し入れができることになる。
【００１７】
図４の内軸５の下降状態で滑り止め部７の最上端と接地キャップ４の最上端を等しくし、外軸１と内軸５のはまり込みを同じくしておけば、外軸１と内軸５を同一箇所で切り詰めるとそのまま寸法が決定され、出荷時でなく、店頭でも長さ調節がそれだけ容易に行えることになる。このことは杖の上部分で切り詰めるときも同様で、いずれで切り詰めるようにしても構わない。ただ、接地キャップ４は使用しているうちに摩耗することも充分考えられるため、交換に便利なように、下方側で切り詰め、操作桿６側は接着剤を塗布するなど、分解できないようにしておいたほうがより望ましいといえる。また、接地キャップ４ほどではないにせよ、爪８も摩耗することが考えられるため、内軸５と滑り止め部７間にパッキンを介在させ、交換を容易にしても良い。
【００１８】
図５にはハンドル機構および爪の他の実施例を示しているが、ハンドル１０は上下に１８０゜回転させ、ハンドル１０に上下方向から物がぶつかっても、図１の実施例よりも自走しにくいようにしている。
【００１９】
爪８として、円周上に３〜５個（図面は４個であるが、少ないほうが雪が詰まりにくいと言う利点はある）の幅が広くて薄いスコップ状の金属片を、先を少し丸めて接地キャップ４から図３の実施例ほど長く出さないように設けており、いずれの方向にも滑りにくく、かつ、図１のものに比して人に危害を及ぼしにくいよう、安全性が考慮されている。
【００２０】
図５において、ハンドル１０は軸ピン１１により握り部２の前端部にヒンジ結合されており、さらに操作桿６の上方部前端からハンドル１０の回転を受容する矩形のばね室２１を形成し、コイルばね２２がバネ座金２３を介してハンドル１０を押圧するようにしている。
【００２１】
接地キャップ４は上端に金属製又は樹脂製の軸受け座金１９を有しており、内部に滑り止め部７を収容する。滑り止め部７の爪８を軸受け座金１９の下方に位置させて設け、接地キャップ４の下端に穿った、爪８と同数、同形状の貫通穴３を爪８が出入りするようにしている。
【００２２】
この状態から操作桿６が下降するためにはハンドル１０が回転してばね室２１に入り込まなければならないが、操作桿６に下方向の力が加わるほど、ハンドル１０とばね室２１上端接触部に食い込みが生じて摩擦力が大きくなり、結果としてハンドル１０はばね室２１内に入り込めず、従って、ハンドル１０を下方向に回転させようとするコイルばね２２の押圧力とも相俟って、ハンドル１０も回転できないので、操作桿６の自走は生じないことになる。
【００２３】
爪８が接地キャップ４内に収容されている、いわゆる常態から、ハンドル１０のレバー部１２を指で回転させてやると、軸ピン１１を中心としてハンドル１０はコイルばね２２を押圧してばね室２１に入り込むように回転し、ハンドル１０がばね室２１の下端部に当接して操作桿６は下降を始め、１８０゜回転して図６の状態で停止し、複数個の爪８が接地キャップ４下端から突出する。つまり、非常態となる。
【００２４】
レバー部１２は垂直に屹立しているため、上から物が当たっても図１の実施例に比してハンドル１０は回転しにくく、例え、ある程度回転しても、コイルばね２２に押圧されて、復帰するようになっている。また、操作桿６に作用する上向きの静的力や衝撃力が大きくても、上述したように、ハンドル１０はばね室２１に入り込めず、従って、自走により、爪８が接地キャップ４内に入り込んでしまうこともない。
【００２５】
切り詰め方法は図１の実施例と同様であるが、外軸１を下方で切り詰めたときは、外軸１と軸受け座金１９は離脱しないよう、接着剤等で固着しておいたほうが望ましい。接地キャップ４は軸受け座金１９を残したまま交換できることになる。爪８は図１の実施例のものよりずっと摩耗しにくいので、交換する必要性に乏しいという利点もある。
【００２６】
図７の実施例は、レバー部や回転のための支点を設けず、ハンドル１０を同一位置で回転させるものであり、ハンドル１０と従動輪２４に差し込まれたピン１６により図８の横溝２５が係止された操作桿６は、ハンドル１０の回転により上下動するようになっている。
【００２７】
ハンドル１０は１８０゜回転するようにしているが、ストッパーとしてハンドル１０の中間部に１８０゜のガイド溝２６を設け、案内ばね２７に押圧された案内子２８がガイド溝２６に当接して停止するようになっている。ガイド溝２６の最初と最後を一段と深くして、自走防止に有効ならしめている。
【００２８】
組み立てるときは、まず、従動輪２４、次ぎに操作桿６を、位置を決めて握り部２に挿入し、その後でピン１６を打ち込んだハンドル１０を挿入し、最後に、案内ばね２７に押圧された案内子２８がガイド溝２６に入るようにねじ２９で装着する。従動輪２４を使用することで、ピン１６は片持ちでなくなり、強度が向上するが、必ずしも必須の構成要件ではない。なお、案内子２８はハンドル１０の抜け止めも兼用している。
【００２９】
図７、図８は操作桿６が最下降した状態を示しているが、ピン１６と操作桿６の軸心を一致させており、従って、操作桿６に作用する上向きの力がハンドル１０の回転力としては作用せず、操作桿６が自走することはないが、ストロークを多少少なくしても、回転数を若干多くして、より自走しにくくするようにもできる。
【００３０】
図８の状態からハンドル１０を回転させると、回転の前半ではピン１６は横溝２５に沿って右方向に移動し、９０゜回転時に最大でストロークの半分移動するが、後半は左方向に移動しながら上昇し、１８０゜回転して最上昇位置になる。この時もピン１６と操作桿６の軸心が一致しているため、操作桿６の下降力がハンドル１０の回転力としては作用せず、従って自走は生じない。
【００３１】
実施例ではピン１６の横方向の移動を操作桿６に穿った横溝２５により吸収するようにしているが、横溝２５を設けず、操作桿６自体を横方向に移動させるようにすることもできる。その時は操作桿６と内軸５、あるいは内軸５と滑り止め部とを、その移動量を吸収すべく、回転可能に連結させておけばよい。さらに、横溝２５を設けたり、操作桿６を横方向に移動させる代わりに、ハンドル１０自体を横方向に移動しながら回転させることも可能である。
【００３２】
本実施例においてはレバー部１２を有しない分だけ、偶発による自走は起こりにくくなっている。しかし、それだけに図１乃至図６の実施例のものの様に指１本で操作可能というわけにはいかないが、いずれにしても、杖を握ったまま片手で容易に操作できるという点では変わりがない。なお、ハンドル１０の側方に短いレバー部を突出させるようにすれば、回転しやすく、操作がより楽になり、しかもハンドルは図１乃至図６の実施例のような上下運動でないため、それらのものよりも自走は起こりにくいと言える。
【００３３】
本実施例ではハンドルをデザインの１要素として活かすことができ、見た目にも自然であり、違和感がないという特徴がある。なお、爪８は上述した実施例の他に、図１で使用したものをずっと短くし、それを数多く使用するようにしても図１のものより安全性を高められ、また、摩耗も少なくなる。
【００３４】
図９の実施例は、握り部２の前端からその一部が突出したハンドル１０を直接上下動させて爪８を出し入れさせるものであり、操作桿６にハンドル１０をねじ接続し、握り部２の前端部に、図１０にその正面図を示すような縦溝３０、自走止め横溝３１からなるＬ字型の案内溝３２をもうけている。
【００３５】
接地キャップ４を上側設置キャップ４’と下側接地キャップ４”に分割し、両者が容易には離脱しないよう、また下側接地キャップ４”を交換可能なように接続する。上側接地キャップ４’は樹脂で成形され、内部に、外軸１が当接する鍔部３３を設け、図１、図５の軸受け座金１９を省略する。しかし勿論、従来通り、軸受け座金１９を用いて、接地キャップ４をゴムで一体に成型しても良い。
【００３６】
下側接地キャップ４”はクッション性を良くするため、ゴム又は軟質樹脂で成形され、下端を大きく開いた１個の貫通穴３を形成する。下端部に舌片３４を設け、見た目からも、また、予期せず、ハンドル１０が押圧されて爪８が少し突出したときでも、少しでも安全性を高めるようにしている。
【００３７】
内軸５にＥリング３５を装着し、鍔部３３に係止された内軸ばね３６により操作桿６は常に上向きの押圧力が作用しており、自重による内軸５の自走を防止している。さらに、内軸５の下端部に、プレス加工により成形した金属製の滑り止め部７を離脱しないように貫通穴３から圧入している。
【００３８】
爪８を接地キャップ４から出すときは、ハンドル１０を内軸ばね３６の押圧力に抗して上から押圧して縦溝３０に沿って下降させ、最下降したとき横に回して自走止め横溝３１に入れれば良く、爪８が舌片３４を押しのけて下降し、最大突出した状態でハンドル１０は固定される。
【００３９】
元に戻すときは、ハンドル１０を反対方向に回すと、縦溝３０に達した位置で内軸ばね３６の復元力によりハンドル１０は自動的に上昇し、図９、図１０の状態に復帰する。このことは、ハンドル１０が何かにぶつかって下降したときも、自走止め横溝３１にかなり入り込まない限り、内軸ばね３６の復元力により自動的に元の状態に復帰すると言うことであり、安全性にも優れている。
【００４０】
自走止め横溝３１を少し先上がりに形成すると、ハンドル１０に横方向から物がぶつかった時、それだけ自走しにくくなる。もし自走したとしても、爪８が隠れる方向なので、危険性はそれだけ少ない、ということができる。また、操作は複雑になるが、縦溝３０の上端に自走止め横溝を設けることもできる。いずれにしても他の実施例と異なり、爪８を接地キャップ４から出す方向、つまり、非常態時への操作に異なった２動作を必要とし、爪８を接地キャップ４内に隠す方向、つまり常態時への操作が実施例の中では最も簡単であり、安全性はそれだけ高められるということができる。
【００４１】
本実施例では、爪８の構造の相違により、引用例のものに比して、爪８の移動距離、すなわちストロークが少なくて済むので、それだけ内軸ばね３６の力も少なくて済み、老人、身障者により優しい設計が可能になる。
【００４２】
本実施例においては、複数個の爪８に対して１個の大きな貫通穴３を設けているだけなので、回転は自在に行えるし、下方から滑り止め部７を内軸５に装着できることに伴う、様々なコストの低減という利点がある。勿論、横方向に回転させるだけなら、図５の実施例において、貫通溝３を横方向に広げるか、あるいは操作桿６の下端に管吊のような回転継手を連結しておけば済むことである。また、内軸５とハンドル１０の径にもよるが、ハンドル１０を直接内軸５に接続、逆に内軸５をハンドル１０に接続することも可能である。
【００４３】
本実施例での長さ調節は、上側部分で行うようにしている。いずれにしても、上述した実施例においては、切断機等を使用し、外軸１と内軸５を同一箇所で切り詰めるようにして、時間をかけず、店頭でも容易に長さ調節できるようにしているが、必ずしも同一箇所に拘るものではない。しかし、切り詰めず、機械的に伸縮調整できるようにした既製品に比して、材料の種々の選択が可能となり、また、強度、ゆるみ、がたつき、音鳴り等の点で、より優れた製品を提供できると言うことはできる。以上の実施例においては、上部と下部構造を適宜組みあわせて実施することは勿論自由である。
【００４４】
【発明の効果】
以上のように本発明においては、握り部から少なくとも一部は突出するハンドルの、垂直方向、水平方向の回転あるいは移動により、建物等に出入りする際、歩きながら自然な形で片手で簡単に滑り止めの爪を出し入れできるため、従来品のように、つい億劫になって爪を出したまま建物に入ってしまう、という危険性が少なくなり、接地キャップから複数個の比較的短い爪を出し入れするようにした場合は、より安全性に優れたものとなり、人体の荷重あるいは衝撃等で、爪が勝手に接地キャップから出入りする、いわゆる自走もなく、長さ調節も店頭で容易に行えるという、優れた効果を有する他、射出成型した握り部分にハンドルを設置したので、引用例の操作溝のように外軸に後加工する必要が無く、従ってコストを低くでき、強度、軽量化、デザイン性、あるいは高級品化等からカーボン、グラスファイバー、チタン等、外軸の材質を自由にでき、さらに客の希望により、店頭で外軸の材質を変えることも可能になるという利点も併せ有するものである。
【図面の簡単な説明】
【図１】本発明の杖の１実施例を示す、常態時の縦断面図である。
【図２】図１の部分正面図である。
【図３】図１の操作桿の斜視図である。
【図４】図１の非常態時の縦断面図である。
【図５】本発明の他の実施例を示す、常態時の縦断面図である。
【図６】図５の非常態時の縦断面図である。
【図７】本発明のもう一つの実施例を示す、非常態時の上部縦断面図である。
【図８】図７のＡ−Ａ断面図である。
【図９】本発明のもう一つ別の実施例を示す、常態時の縦断面図である。
【図１０】図９の上部正面図である。
【符号の説明】
１          外軸
２          握り部
３          貫通穴
４          接地キャップ
５          内軸
６          操作桿
７          滑り止め部
８          爪
１０          ハンドル
【図１】
0003695418.tif 000002
【図２】
0003695418.tif 000003
【図３】
0003695418.tif 000004
【図４】
0003695418.tif 000005
【図５】
0003695418.tif 000006
【図６】
0003695418.tif 000007
【図７】
0003695418.tif 000008
【図８】
0003695418.tif 000009
【図９】
0003695418.tif 000010
【図１０】
0003695418.tif 000011